(57)【要約】      （修正有）【課題】通勤において、地震等の災害に遭遇した場合に頭部や手を守るのに有効であると共に、防災用具を収納し、通勤用のバッグに邪魔にならずに脱着可能に装着できる防災バッグ付き外出用バッグを提供する。【解決手段】適度の伸縮と弾力性及び防水性のある生地の表蓋体２１と裏蓋体２２とから成る防災用具を入れる二つ折り防災バッグ体２の底辺部となる繋ぎ辺２ｎを残してスライドファスナーｆで開閉できるようにすると共に、表蓋体２１と裏蓋体２２を開いたときに頭部と後頭部から肩を覆うことができる適度の角度で開くようにするために当該表蓋体２１と裏蓋体２２の内側の左右両側に覆い片５を止着し、表裏蓋体の一方又は両方２１・２２の内面に防災用具７の収納用ポケット６を設けると共に、その表蓋体２１の内面における左右両側に掴み部８を設けた防災バッグ体２をバッグ本体１の片面に装着する。【選択図】図８
0003192398.tif 000002
【実用新案登録請求の範囲】
【請求項１】
適度の伸縮と弾力性及び防水性のある生地の表蓋体(21)と裏蓋体(22)とから成る防災用具を入れる二つ折り防災バッグ体(2)の底辺部となる繋ぎ辺(2n)を残してスライドファスナー(f)で開閉できるようにすると共に、表蓋体(21)と裏蓋体(22)を開いたときに頭部と後頭部から肩を覆うことができる適度の角度で開くようにするために当該表蓋体(21)と裏蓋体(22)の内側の左右両側に覆い片(5)を止着具(3)で止着し、且つ表裏蓋体の一方又は両方(21)・(22)の内面に防災用具(7)の収納用ポケット(6)を設けると共に、その表蓋体(21)の内面における左右両側に掴み部(8)・(8)を設けた防災バッグ体(2)をバッグ本体(1)の片面(11)に装着したことを特徴とする防災バッグ付き外出用バッグ。
【請求項２】
バッグ本体(1)の片面(11)に適度の伸縮と弾力性及び防水性のある生地からなる二つ折り防災バッグ体(2)を面ファスナー(31)・(32)からなる止着具(3)によって離脱可能に装着し、その防災バッグ体(2)は二つ折りの表蓋体(21)と裏蓋体(22)とから成り、その底辺部となる繋ぎ辺(2n)を残してスライドファスナー(f)で開閉できるように設定すると共に、表蓋体(21)と裏蓋体(22)を約９０〜１４０度前後の角度で開くように設定して表蓋体(21)と裏蓋体(22)内面の左右両側に覆い片(5)を止着し、且つ裏蓋体(22)の内面に防災用具(7)の収納用ポケット(6)を設けると共に、その表蓋体(21)の内面において左右両側に掴み部(8)・(8)を設けたことを特徴とする防災バッグ付き外出用バッグ。
【請求項３】
バッグ本体(1)の片面(11)に適度の伸縮と弾力性及び防水性のある生地からなる防災用具を入れる二つ折りのバッグ体(2)を縫着または強力接着剤からなる止着具(3)によって離脱できないように止着して一体化し、その防災バッグ体(2)は二つ折りの表蓋体(21)と裏蓋体(22)とから成り、その底辺部となる繋ぎ辺(2n)を残してスライドファスナー(f)で開閉できるようにすると共に、表蓋体(21)と裏蓋体(22)を開いたときに約９０〜１４０度前後の角度になるように設定すると共に、表蓋体(21)と裏蓋体(22)内面の左右両側に覆い片(5)を止着し、且つ裏蓋体(22)の内面に防災用具(7)の収納用ポケット(6)を設けると共に、その表蓋体(21)の内面において左右両外側に設けた掴み部(8)・(8)を細幅ベルト体にしたことを特徴とする防災バッグ付き外出用バッグ。
【請求項４】
防災バッグ体(2)の内側において、表蓋体(21)と裏蓋体(22)の両側面を覆う覆い片(5)を三角形状の布片又は柔軟な樹脂シート体で製作し、表蓋体(21)側に設けた掴み部(8)・(8)は、防災バッグ体(2)の上部開口辺部から繋ぎ辺(2n)の方向に渡って細幅のベルト形状にしてその両端部を縫着して止着した請求項１ないし３記載防災バッグ付き外出用バッグ。
【考案の詳細な説明】
【技術分野】
【０００１】
本考案は、防災バッグ付き外出用バッグに関するもので、通勤や通学又は塾通い等の外出時において、地震等の災害に遭遇した場合に頭部や手を守るのに有効であると共に、必要最小限の防災グッズを収納し、通勤や通学用のカバンに邪魔にならずに脱着可能に装着できるようにしたものである。
【背景技術】
【０００２】
一般に、通勤や通学時において地震災害が発生したときは、頭部など身を守る必要があるが、通常は頭巾やヘルメットを携行することは難しい。
そこで在来においても、外出時に発生する災害に備えて頭部等の身を守る発明・考案が数多く開示されている。
【先行技術文献】
【特許文献】
【０００３】
【特許文献１】特開２００２−１３６６１４号公報（図３４）
【特許文献２】特開２００７−  ３７６０２号公報（図２）
【特許文献３】実用新案登録第３１３２２５４号公報（図１及び図２）
【考案の概要】
【考案が解決しようとする課題】
【０００４】
特許文献１は、地震や洪水などの災害発生時に有効に利用されて生命を守り得る防護具に関し、その実施形態は、鞄の片面に防護具を面ファスナー等の脱着具で取り外し自在にしたものである。防護具は、表地と裏地間に芯材と緩衝材を介装してなるものを４つ折り状にしたもので、これらを折り畳んで前記脱着具により鞄に装着され携行可能になっている。緊急時には、この防護具を取り外して中央の屋根形にし、その両側を開き把持部を両手でもって被るようにする。
しかしながら、手提げの鞄は、防護具として使われていないため、両手で防護具を持つと、手提げの鞄は持てないことになり、不便である。また、防護具を持つ両手は剥き出しなっているから落下物や障害物に接触して怪我するおそれがあり危険である。
【０００５】
次に、特許文献２は、カバン本体に収納した付属のインナー袋を取り出して防災頭巾に変えることができる防災用カバンに関するものである。
また、特許文献３は、脱着できる小物収納バッグ付き手提げ袋兼用の防災頭巾に関するもので、使用時はカバン本体を開いて頭巾を形成して被るものである。
両文献２、３の発明にあっては、頭巾として使用するときは、カバン本体や手提げ袋本体そのものを頭巾として使用するものであるから、書類や品物等の中身を取り出すことが必要であり、取り出した中身を手で持つような場合は、手が塞がって緊急災害には不便である。
【課題を解決するための手段】
【０００６】
本考案は、上記の点に鑑みて提供するものであり、本考案の第１は防災バッグ付き外出用バッグにおいて、適度の伸縮と弾力性及び防水性のある生地の表蓋体と裏蓋体とから成る防災用具を入れる二つ折り防災バッグ体の底辺部となる繋ぎ辺を残してスライドファスナーで開閉できるようにすると共に、表蓋体と裏蓋体を開いたときに頭部と後頭部から肩を覆うことができる適度の角度で開くようにするために当該表蓋体と裏蓋体の内側の左右両側に覆い片を止着具で止着して一体化し、且つ表裏蓋体の一方又は両方の内面に防災用具の収納用ポケットを設けると共に、その表蓋体の内面における左右両側に掴み部を設けた防災バッグ体をバッグ本体の片面に装着したものである。
【０００７】
本考案の第２は第１の考案に係る防災バッグ付き外出用バッグにおいて、バッグ本体の片面に適度の伸縮と弾力性及び防水性のある生地からなる二つ折りの防災バッグ体を面ファスナーからなる止着具によって離脱可能に装着し、その防災バッグ体は二つ折りの表蓋体と裏蓋体とから成り、その底辺部となる繋ぎ辺を残してスライドファスナーで開閉できるように設定すると共に、表蓋体と裏蓋体を約９０〜１４０度前後の角度で開くように設定して表蓋体と裏蓋体内面の左右両側に覆い片を止着し、且つ裏蓋体の内面に防災用具の収納用ポケットを設けると共に、その表蓋体の内面において左右両側に掴み部を設けたものである。
【０００８】
本考案の第３は、第１の考案に係る防災バッグ付き外出用バッグにおいて、バッグ本体の片面に防災用具を入れる適度の伸縮と弾力性及び防水性のある生地からなる二つ折りのバッグ体を縫着または接着剤からなる止着具によって離脱できないように止着し、その防災バッグ体は二つ折りの表蓋体と裏蓋体とから成り、その底辺部となる繋ぎ辺を残してスライドファスナーで開閉できるようにすると共に、表蓋体と裏蓋体を開いたときに約９０〜１４０度前後の角度になるように設定すると共に、表蓋体と裏蓋体内面の左右両側に覆い片を止着し、且つ裏蓋体の内面に防災用具の収納用ポケットを設けると共に、その表蓋体の内面において左右両外側に設けた掴み部を細幅ベルト体にしたものである。
【０００９】
本考案の第４は、第１ないし第３の考案にかかる防災バッグ付き外出用バッグにおいて、防災バッグ体の内側における表蓋体と裏蓋体の両側面を覆う覆い片を三角形状の布片又は柔軟な樹脂シート体で製作し、表蓋体側に設けた掴み部は、防災バッグ体の上部開口辺部から繋ぎ辺の方向に渡って細幅のベルト形状にしてその両端部を縫着して止着したものである。
【考案の効果】
【００１０】
本考案は、上記の構成であるから、次のような効果がある。第１に、フャスナーを全開して、バッグ本体側の表蓋体を当該バッグ本体と共に頭部に載せることにより、頭部が確実に防護されると共に、後頭部から肩は裏蓋体で覆われるから、これらの部位が確実に防護される。
第２に、バッグ本体と共に頭部に載せた裏蓋体内面の左右に細幅ベルト状の掴み部を設けたから、バッグ本体が大きく、且つ多少重たくても両手でバランスを保持して支えることができる。
第３に、表裏蓋体の内側における左右両側に覆い片を設けてあるから、掴み部を持つ両手を覆うことができ、外部の障害物から側頭部や顔の側面が防護されるから安全である。
第４に、あらかじめ、防災バッグを本体バッグに縫着または強力接着剤等で固着しておくことにより、バッグ本体に防災用具を常備して携行することができる。
第５に、防災バッグと共にバッグ本体を頭部に載せるので、従来公知のバッグ兼用の頭巾のようにバッグ内の中身を取り出さなくても使用することができて便利であると共に、バッグの外形面積が比較的大きいので身体を防護する範囲が拡大する。
第６に、防災バッグ体の裏蓋側に防災用具を収納したファスナー付きポケットポケットを設けることによって、当該ポケットに小形のハサミやライター、マッチ等の固形の防災用具を収納しても、頭部側に位置する場合と較べて違和感がない。
形の防災用具を収納しても頭部側に位置する場合と較べて違和感がなくなる。
第７に、防災バッグ体をバッグ本体に対し、離脱式にすることによって、これを開いて頭部に載せた場合がある。そのようなときには、防災バッグ体を図１の状態から図１０のように開口辺の向きを１８０度かえることによって、視野を遮るものがなくなり見やすくなる。
第８に、防災バッグ体をバッグ本体に対し、固着式にすると、当該防災バッグ体を開いて頭部に載せたときに、バッグ本体の取っ手が顔の前方に位置して視野が遮られて前方が見づらくなる場合がある。そのようなときには、あらかじめ防災バッグ体を図９の状態から図１０のように底辺部に相当する繋ぎ辺の向きを１８０度変えておくことによって視野を遮るものがなくなり、前方が見やすくなる。
【図面の簡単な説明】
【００１１】
【図１】防災バッグ体をバッグ本体に離脱可能に装着した状態の斜面図である。
【図２】防災バッグ体の斜視図である。
【図３】防災バッグ体を離脱した状態のバッグ本体の斜視図である。
【図４】防災用具の収納用ポケットを裏蓋体の内面に設けた防災バッグ体を開いた斜視図である。
【図５】防災用具の収納用ポケットを表蓋体の内面に設けた防災バッグ体を開いた斜視図である。
【図６】防災用具の収納用ポケットを表裏蓋体の両内面に設けた防災バッグ体を開いた斜視図である。
【図７】図１の使用状態を示す正面図である。
【図８】図７の側面図である。
【図９】図１の防災バッグ体をバッグ本体に縫着した状態の斜面図である。
【図１０】図１の防災バッグ体を上下方向に１８０度向きを変えてバッグ本体に装着した斜視図である。
【図１１】図１０の使用状態を示す正面図である。
【図１２】図１１の側面図である。
【図１３】塾通い用バッグ本体に防災バッグ体を止着した状態の斜視図である。
【図１４】図１３の防災バッグ体の上下方向に１８０度向きを変えてバッグ本体に装着した斜視図である。
【考案を実施するための形態】
【００１２】
本考案に係る防災バッグ付きの防災バッグを実施するための形態は次のとおりである。１は取っ手１０の付いた通勤用の外出用バッグであるが、当該外出用バッグの左右両側面部に肩掛けベルト９を設けてショルダーバッグにするものも含まれる。
２は防災用具を収納する比較的扁平な防災バッグ体であり、適度の伸縮と弾力性及び防水性のある生地からなる生地を用い、例えばネオプレーン生地を使用することを可とする。当該防災バッグ体の表蓋体２１と裏蓋体２２とを底辺部となる繋ぎ辺２ｎを残して、これに対向する開口上辺２ｍ及び左右側辺の３辺をスライダーfs付きスライドファスナーｆで開閉する形状になっている。当該防災バッグ体２の外表面は任意の色・硬さとし、これにキャラクタ、デザイン表示部４を施した素材とするが、内面はソフトな素材を用いることを可とする。図１及び図９、図１３にあっては、当該防災バッグ体２の底辺部となる繋ぎ辺２ｎに対向する開口上辺２ｍを上向きにしてあるが、図１０及び図１４にあっては、繋ぎ辺２ｎに対向する開口上辺２ｍを下向きにしてある。
３はバッグ本体１に防災バッグ体２を装着するための止着具であり、マジックテープ（登録商標）と呼ばれるループとフックとからなり、且つ裏面に強力な粘着面を有し、例えば幅＝２５ｍｍ、長さ＝１５０ｍｍ程度の細長のものを複数枚用いる。
図１〜図３にあっては、バッグ本体１の片面１１に設けたテープ状の面ファスナー３２と、防災バッグ体２の片面に設けた面ファスナー２１とで離脱できるように構成されている。この場合、バッグ本体１側の面ファスナー３２は、その裏面に粘着剤を設けてあることよって、当該バッグ本体の片面１１に強力に接着するが、不要時が引き剥がして離脱できるようにしてある。また、防災バッグ体２側の面ファスナー３１は、離脱できるようにするほか、あらかじめ縫着により、離脱しないように一体に装着しておいてもよい。
【００１３】
４は、防災バッグ体２の表面に表示する色彩、キャラクター等の意匠デザイン表示部である。
５は防災バッグ体２の内面において、繋ぎ辺２ｎを挟んで表蓋体２１と裏蓋体２２の左右両側に縫着した柔らかい布地または柔軟な樹脂シートからなる三角形またはそれに近い形状の覆い片であり、当該表蓋体２１と裏蓋体２２の開き角度θは、頭部と後頭部から肩を覆うことができる適当な角度で開くようにするが、そのために９０〜１４０度の間に設定することを可とする。当該表蓋体２１と裏蓋体２２の内側の左右両側に覆い片５を縫着によって止着する。
６は防災バッグ体２における裏蓋体２２の内面（図４）または表蓋体２１の内面（図５）または表裏蓋体の両内面（図６）に設けたファスナーｆ′付きポケットである。そして、表蓋体２１に当該ポケットを設けた場合は、その中に防災用具７のうち、タオルや軍手、マスクなどある程度クッション性のある小物を収納しておくことが望ましい。また、裏蓋体内２２の内面にポケット６を設ける場合は、ライターや小型ハンディライトや小形ハサミのような固い小物を入れておくことができる。
８は防災バッグ体２の頭部側において表蓋体２１内面の左右両側において、前後方向に配置してその両端部を止着したベルト状の掴み部である。当該掴み部は、覆い片５の内側において両手でしっかりと掴める構造になっている。
【００１４】
[具体的な装着及び使用法]
本考案において、防災バッグ体２の装着および使用法は以下の手順による。
（１）  バッグ本体１の片面に細長のループ状面ファスナー３１を略四角い枠形に粘着し、これに対峙するフック状面ファスナー３２を防災バッグ体２の片面に粘着または縫着する。（図１〜３）
（２）  上記の防災バッグ体２をバッグ本体１の片面に面ファスナー３１・３２を介して装着する。（図１）
（３）  この状態でバッグ本体１を取っ手１０を持って手提げ、又は肩掛けベルト９によってショルダーバッグにして通勤ないし通学のために外出する。
（４）  使用時に際しては、防災バッグ体２のスライドファスナーｆを全開し、防災バッグ体２表裏蓋体２１・２２を９０〜１４０度の適当な角度θでスライダーfsを介して開蓋する。（図４〜図６）
（５）  頭部が位置する側の表蓋体２１側の細幅のベルト状の掴み部８・８を両手で掴み、バッグ本体１と一緒に表蓋体２１を頭部に載せて頭頂部に位置させる（図７、図８）。これによって、頭部が外部の障害から防護される。
（６）  上記のポケット６を裏蓋体内２２の内面に設けた場合（図４）は、バッグ本体１を頭部に載せたときに、当該ポケット６が頭部ではなく、背中側に位置するので、内部にライターや小形ハサミのような固い小物を収納して場合、身体に接触しても違和感がない。
（７）  この状態にあって、防災バッグ体２の左右両側の三角形状の覆い片５・５によって掴み部８・８を持つ両手と、顔の頬部が防護される。（図７、図８、図１１、図１２）
（８）  他方、表蓋体２１に対し、底部に相当する繋ぎ辺２ｎによって連結している裏蓋体２２は、後頭部から肩付近にかけて覆われる状態となり、当該部位が防護される。図７、図８、図１０、図１１）
（９）  図７及び図８においては、顔の前方にバッグ本体１の取っ手１０が位置するので視野が遮られて見えにくい場合がある。その場合は、図１の状態を図９の状態にする。なわち、防災バッグ体２の上下の向きを逆にすることにバッグ本体の取っ手１０を顔の後方に向けることができるから、視野の遮りによる見えにくさは解消される。（図１０及び図１１）
（１０）  表蓋体２１の先端部にはクリップ付きの小型のハンディライト（図示省略）を装着すると夜間の歩行に便利である。
（１１）  防災バッグ体２を離脱式にした場合は、これを外してバッグ本体１の取っ手１０を持って通常の通勤用バッグとして使い、または必要に応じてベルト９を肩に掛けてショルダーバッグとして使う。
（１２）  バッグ本体１への防災バッグ体２の取付けが不要な場合は、当該バッグ本体に粘着してある細長面ファスナー３１・３２を剥がすことによって、本来の通勤用バッグとして使用することができる。
（１３）  バッグ本体１への防災バッグ体２の取付けが縫着や強力接着剤による固着式の場合は、不要時でも離脱はできないが、比較的扁平な厚さであるから、邪魔にならず、且つその平面部に好みの素材や色彩またはキャラクタやデザイン表示部４を施すことによってファッション効果を高め、常に防災用具を携行することに抵抗をなくするができることによって、不慮の災害に備えておくことができて便利である。
【産業上の利用可能性】
【００１５】
本考案は、通勤用バッグに限らず通学用バッグや学習塾等の塾通いバッグまたはランドセル等一定の平面スペースがあれば、あらゆる外出用のバッグやカバンその他頭部を覆う平板体にも適用することが可能である。
【符号の説明】
【００１６】
１…バッグ本体
２…防災用具をいれる防災バッグ体
２１…表蓋体
２２…裏蓋体
３…ループ状面ファスナーを含む離脱又は固着の止着具
４…防災バッグの表面に表示する色彩・キャラクター等の意匠デザイン
５…覆い片
６…ポケット
７…防災用具
８…掴み部
９…ショルダー用ベルト
１０…バッグ本体の取っ手
ｆ……スライドファスナー
fs……スライダー
【図１】
0003192398.tif 000003
【図２】
0003192398.tif 000004
【図３】
0003192398.tif 000005
【図４】
0003192398.tif 000006
【図５】
0003192398.tif 000007
【図６】
0003192398.tif 000008
【図７】
0003192398.tif 000009
【図８】
0003192398.tif 000010
【図９】
0003192398.tif 000011
【図１０】
0003192398.tif 000012
【図１１】
0003192398.tif 000013
【図１２】
0003192398.tif 000014
【図１３】
0003192398.tif 000015
【図１４】
0003192398.tif 000016
【手続補正書】
【提出日】平成26年6月17日(2014.6.17)
【手続補正１】
【補正対象書類名】明細書
【補正対象項目名】００１０
【補正方法】変更
【補正の内容】
【００１０】  本考案は、上記の構成であるから、次のような効果がある。第１に、ファスナーを全開して、バッグ本体側の表蓋体を当該バッグ本体と共に頭部に載せることにより、頭部が確実に防護されると共に、後頭部から肩は裏蓋体で覆われるから、これらの部位が確実に防護される。
第２に、バッグ本体と共に頭部に載せた裏蓋体内面の左右に細幅ベルト状の掴み部を設けたから、バッグ本体が大きく、且つ多少重たくても両手でバランスを保持して支えることができる。
第３に、表裏蓋体の内側における左右両側に覆い片を設けてあるから、掴み部を持つ両手を覆うことができ、外部の障害物から側頭部や顔の側面が防護されるから安全である。
第４に、あらかじめ、防災バッグを本体バッグに縫着または強力接着剤等で固着しておくことにより、バッグ本体に防災用具を常備して携行することができる。
第５に、防災バッグと共にバッグ本体を頭部に載せるので、従来公知のバッグ兼用の頭巾のようにバッグ内の中身を取り出さなくても使用することができて便利であると共に、バッグの外形面積が比較的大きいので身体を防護する範囲が拡大する。
第６に、防災バッグ体の裏蓋側に防災用具を収納したファスナー付きポケットポケットを設けることによって、当該ポケットに小形のハサミやライター、マッチ等の固形の防災用具を収納しても、頭部側に位置する場合と較べて違和感がない。
形の防災用具を収納しても頭部側に位置する場合と較べて違和感がなくなる。
第７に、防災バッグ体をバッグ本体に対し、離脱式にすることによって、これを開いて頭部に載せた場合がある。そのようなときには、防災バッグ体を図１の状態から図１０のように開口辺の向きを１８０度変えることによって、視野を遮るものがなくなり見やすくなる。
第８に、防災バッグ体をバッグ本体に対し、固着式にすると、当該防災バッグ体を開いて頭部に載せたときに、バッグ本体の取っ手が顔の前方に位置して視野が遮られて前方が見づらくなる場合がある。そのようなときには、あらかじめ防災バッグ体を図９の状態から図１０のように底辺部に相当する繋ぎ辺の向きを１８０度変えておくことによって視野を遮るものがなくなり、前方が見やすくなる。
【手続補正２】
【補正対象書類名】明細書
【補正対象項目名】００１１
【補正方法】変更
【補正の内容】
【００１１】
【図１】防災バッグ体をバッグ本体に離脱可能に装着した状態の斜視図である。
【図２】防災バッグ体の斜視図である。
【図３】防災バッグ体を離脱した状態のバッグ本体の斜視図である。
【図４】防災用具の収納用ポケットを裏蓋体の内面に設けた防災バッグ体を開いた斜視図である。
【図５】防災用具の収納用ポケットを表蓋体の内面に設けた防災バッグ体を開いた斜視図である。
【図６】防災用具の収納用ポケットを表裏蓋体の両内面に設けた防災バッグ体を開いた斜視図である。
【図７】図１の使用状態を示す正面図である。
【図８】図７の側面図である。
【図９】図１の防災バッグ体をバッグ本体に縫着した状態の斜視図である。
【図１０】図１の防災バッグ体を上下方向に１８０度向きを変えてバッグ本体に装着した斜視図である。
【図１１】図１０の使用状態を示す正面図である。
【図１２】図１１の側面図である。
【図１３】塾通い用バッグ本体に防災バッグ体を止着した状態の斜視図である。
【図１４】図１３の防災バッグ体の上下方向に１８０度向きを変えてバッグ本体に装着した斜視図である。